(57)【要約】【課題】冷却に寄与しない冷媒回収モードの実行時間を短縮し、運転効率を向上させることができる冷凍サイクル装置及び冷蔵庫を提供する。【解決手段】冷凍冷却器１５に冷媒を流して冷凍空間を冷却する冷凍冷却モードの実行中に冷凍冷却終了条件が満たされると、冷凍冷却モードを終了し、冷蔵冷却器１０及び冷凍冷却器１５への冷媒供給を遮断した状態で圧縮機２０を駆動する冷媒回収モードを実行した後、冷蔵冷却器１０に冷媒を流して冷蔵空間を冷却する冷蔵冷却モードを実行する冷蔵庫１において、冷凍冷却モードから冷媒回収モードへ移行する前に、冷凍冷却モードを実行しながら圧縮機２０の運転周波数を上昇させる移行モードを実行した後、冷媒回収モード及び冷蔵冷却モードを順次実行する。【選択図】        図４
2020091045.tif 000002
【特許請求の範囲】
【請求項１】
第１空間と前記第１空間より低い温度に冷却される第２空間を内部に有する冷蔵庫本体と、
能力可変型の圧縮機と、前記圧縮機から吐出される冷媒を受ける凝縮器と、前記凝縮器の出口側に設けられた冷媒流路の切替弁と、前記切替弁の一方の出口側に接続され前記第１空間を冷却する冷気を生成する第１冷却器と、前記切替弁の他方の出口側に接続され前記第２空間を冷却する冷気を生成する第２冷却器とを備えた冷凍サイクルと、
前記冷凍サイクルを制御する制御部とを備え、
前記制御部は、前記第２冷却器に冷媒を流して前記第２空間を冷却する第２冷却モードの実行中に冷却終了条件が満たされると、前記第２冷却モードを終了し、前記第１冷却器及び前記第２冷却器への冷媒供給を遮断した状態で前記圧縮機を駆動する冷媒回収モードを実行した後、前記第１冷却器に冷媒を流して前記第１空間を冷却する第１冷却モードを実行する冷蔵庫において、
前記制御部は、前記第２冷却モードから前記冷媒回収モードへ移行する前に、前記第２冷却モードを実行しながら前記圧縮機の運転周波数を上昇させる移行モードを実行した後、前記冷媒回収モード及び前記第１冷却モードを順次実行する冷蔵庫。
【請求項２】
前記制御部は、前記第２冷却モードの実行中に前記冷却終了条件が満たされると、前記移行モードを実行した後、前記冷媒回収モード及び前記第１冷却モードを順次実行する請求項１に記載の冷蔵庫。
【請求項３】
前記制御部は、前記冷却終了条件が満たされる前に前記移行モードを実行した後、前記冷媒回収モード及び前記第１冷却モードを順次実行する請求項１に記載の冷蔵庫。
【請求項４】
前記制御部は、前記第２冷却器に冷媒を流した状態で前記移行モードを実行する請求項１〜３のいずれか１項に記載の冷蔵庫。
【請求項５】
前記第２冷却器で生成された冷気を前記第２空間へ送風する冷却ファンを備え、
前記制御部は、前記移行モードの実行中に前記冷却ファンを回転させる請求項１〜４のいずれか１項に記載の冷蔵庫。
【請求項６】
前記制御部は、前記冷媒回収モードから前記第１冷却モードへの切り換えと同時に、前記圧縮機の運転周波数を変更する請求項１〜５のいずれか１項に記載の冷蔵庫。
【発明の詳細な説明】
【技術分野】
【０００１】
本発明の実施形態は、冷蔵庫に関するものである。
【背景技術】
【０００２】
冷蔵庫では、冷蔵空間と冷凍空間を冷却するため、各空間に対応する複数の冷却器を備えた冷凍サイクルを採用したものが知られている。
【０００３】
この種の冷凍サイクルでは、冷蔵空間を冷却するための冷蔵冷却器を有する冷蔵冷媒流路と、冷凍空間を冷却するための冷凍冷却器を有する冷凍冷媒流路とが並列接続されると共に、冷蔵冷媒流路及び冷凍冷媒流路を切替えるための切替弁が設けられる。そして、切替弁を切替え制御することによって、凝縮器で凝縮された冷媒を冷蔵冷媒流路に流して圧縮機に戻す冷蔵冷却モードと、凝縮器で凝縮された冷媒を冷凍冷媒流路に流して圧縮機に戻す第冷凍冷却モードとが交互に行われるようになっている。これにより、冷蔵空間及び冷凍空間が交互に冷却される。
【０００４】
このような冷凍サイクル装置を備えた冷蔵庫では、冷蔵冷却器と冷凍冷却器の温度差などにより冷凍冷却器に冷媒が滞留することで、冷却モードの切替後しばらくの間、冷蔵冷却器に供給される冷媒量が不足しやすく冷却効率の低下を招くことがある。
【０００５】
これに対して、冷却モードを切り替える前に切替弁を全閉にして冷蔵冷媒流路と冷凍冷媒流路を遮断した状態で圧縮機を駆動するポンプダウンと呼ばれる冷媒回収運転を実行し、冷凍冷却器に滞留していた冷媒を回収し、冷却モード切替直後から適量の冷媒を供給する制御が知られている（例えば、特許文献１参照）。
【先行技術文献】
【特許文献】
【０００６】
【特許文献１】特開２０１１−８０７３１号公報
【発明の概要】
【発明が解決しようとする課題】
【０００７】
しかしながら、冷媒回収運転の実行中は、圧縮機を駆動しているにも関わらず、冷却に寄与しない運転であるため、非効率である。そこで、本発明は、冷媒回収運転の実行時間を短縮し運転効率を向上させることができる冷蔵庫を提供することを目的とする。
【課題を解決するための手段】
【０００８】
一実施形態の冷蔵庫は、第１空間と前記第１空間より低い温度に冷却される第２空間を内部に有する冷蔵庫本体と、能力可変型の圧縮機と、前記圧縮機から吐出される冷媒を受ける凝縮器と、前記凝縮器の出口側に設けられた冷媒流路の切替弁と、前記切替弁の一方の出口側に接続され前記第１空間を冷却する冷気を生成する第１冷却器と、前記切替弁の他方の出口側に接続され前記第２空間を冷却する冷気を生成する第２冷却器とを備えた冷凍サイクルと、前記冷凍サイクルを制御する制御部とを備え、前記制御部は、前記第２冷却器に冷媒を流して前記第２空間を冷却する第２冷却モードの実行中に第２冷却終了条件が満たされると、前記第２冷却モードを終了し、前記第１冷却器及び前記第２冷却器への冷媒供給を遮断した状態で前記圧縮機を駆動する冷媒回収モードを実行した後、前記第１冷却器に冷媒を流して前記第１空間を冷却する第１冷却モードを実行する冷蔵庫において、前記制御部は、前記第２冷却モードから前記冷媒回収モードへ移行する前に、前記第２冷却モードを実行しながら前記圧縮機の運転周波数を上昇させる移行モードを実行した後、前記冷媒回収モード及び前記第１冷却モードを順次実行するものである。
【図面の簡単な説明】
【０００９】
【図１】本発明の一実施形態の冷蔵庫の概略構成を示す縦断面図
【図２】本発明の一実施形態の冷蔵庫における冷凍サイクル装置を示す模式図
【図３】本発明の一実施形態の冷蔵庫の制御部のブロック図
【図４】本発明の一実施形態の冷蔵庫のタイミングチャート
【発明を実施するための形態】
【００１０】
以下、本発明の一実施形態を図面に基づき説明する。冷蔵庫１の概略的な全体構成を図１に示すように、冷蔵庫本体２は鋼板製の外箱２ａと真空成形により設けられる合成樹脂製の内箱２ｂとの間隙に真空断熱パネルやウレタンフォームなどの断熱材２ｃを配置し、前面を開口し内部を貯蔵空間とした縦長の断熱箱体からなる。冷蔵庫本体２の内部に形成された貯蔵空間は、断熱仕切壁によって上方の第１空間と下方の第２空間に断熱区画されている。
【００１１】
単一の内箱２ｂで形成された第１空間は、例えば、０℃〜４℃の冷蔵温度帯に冷却保持される冷蔵空間である。この冷蔵空間には、複数の載置棚を設けた冷蔵室３と貯蔵容器である下部ケースと上部ケースを備えた野菜室４とを隣接状態で上下に区分配置している。
【００１２】
第２空間は、第１空間より低い温度、例えば、−１８℃〜−２０℃の冷凍温度帯に冷却保持される冷凍空間である。冷凍空間には、野菜室４の下方に断熱壁を介して設けられた自動製氷装置と貯氷箱を有する製氷室５と、製氷室５の側方に設けられた不図示の小冷凍室と、最下段に設けられた下部ケースと上部ケースを備える主冷凍室６を配置している。
【００１３】
前記各貯蔵室の前面開口部は各々独立した断熱扉で閉塞されており、冷蔵室３の前面開口部は左右両側の上下部に設けたヒンジにより観音開き式の冷蔵室扉３ａが回動自在に支持されている。野菜室４および製氷室５と小冷凍室、主冷凍室６は、貯蔵容器を引き出し式の扉４ａ、５ａ、６ａに連結保持し、貯蔵室内に設けたレール機構により引き出し式で閉塞されている。また、冷蔵室扉３ａの前面中央には操作パネル７を設置している。
【００１４】
冷蔵室３と野菜室４に跨る冷蔵空間の背部には、第１冷却器（以下、冷蔵冷却器ということもある）１０と冷蔵ファン１１が配設されるとともに、冷気ダクト１２と冷却器カバー１３と送風機カバー１４によって冷却貯蔵室内と区画している。また、製氷室５や小冷凍室および主冷凍室６の背面にわたっては、第２冷却器（以下、冷凍冷却器ということもある）１５と冷凍ファン１６が配設され、冷気ダクトを形成するカバー体１７によって冷却貯蔵室内と区画している。
【００１５】
なお、冷蔵冷却器１０の除霜は、冷蔵冷却器１０への冷媒の流入を停止させた状態で、冷蔵ファン１１を運転することで、冷蔵室３並びに野菜室４の０℃以上の温度の空気を循環させて行う。
【００１６】
また、冷凍冷却器１５の下方には、除霜ヒータ１８と除霜水を受ける排水樋が配設される。冷凍冷却器１５の除霜は、除霜ヒータ１８による輻射熱で冷凍冷却器１５を加熱することで行う。この時、融解した除霜水は排水樋により、外部に排出される。
【００１７】
冷蔵庫本体２の背面下部の外側には内方に凹陥する機械室１９を形成し、冷凍サイクル装置の一環をなす圧縮機２０や凝縮器２１、冷却ファン（不図示）、除霜水を蒸発させる蒸発皿２２を配設している。圧縮機２０は、例えば、インバータ制御により運転周波数（１秒間当りの回転数）を可変速で駆動される能力可変型の圧縮機で構成されている。
【００１８】
冷蔵庫１の冷凍サイクル装置は、図２に示すように、高温高圧の冷媒ガスを吐出する圧縮機２０と、該圧縮機２０から吐出される冷媒ガスを受けて放熱液化する凝縮器２１と、該凝縮器２１の出口側に放熱パイプ２８を介して接続され冷媒流路を切り替える切替弁２９と、冷蔵冷却器１０及び冷凍冷却器１５と、これらの冷却器１０，１５にそれぞれ設けられた冷蔵減圧装置３０及び冷凍減圧装置３１とを備え、これらを配管で接続して構成されている。
【００１９】
詳細には、圧縮機２０と凝縮器２１と放熱パイプ２８と切替弁２９の入口側が直列に接続されている。切替弁２９の一方の出口には、冷蔵減圧装置３０と冷蔵冷却器１０とを直列に連結した冷蔵冷媒流路が接続され、切替弁２９の他方の出口には、冷凍減圧装置３１と冷凍冷却器１５とを直列に連結した冷凍冷媒流路が冷蔵冷媒流路と並列に接続されている。そして、冷蔵冷却器１０の出口側に接続された配管と冷凍冷却器１５の出口側に接続された配管とが合流し、圧縮機２０の吸込側に接続され冷媒回路が構成されている。
【００２０】
このような冷凍サイクル装置では、サイクル内に封入された冷媒が、圧縮機２０で圧縮されて高温高圧の気体状の冷媒に変化し、放熱しながら凝縮器２１及び放熱パイプ２８を流れる。
【００２１】
放熱パイプ２８を流れた液体状の冷媒は、機械室１９に位置する切替弁２９に導かれ、制御部２３の指令に基づき、この切替弁２９によって冷蔵減圧装置３０と冷凍減圧装置３１に切り替えて供給され、各減圧装置３０、３１で気化し易いように減圧される。減圧装置３０、３１を通過することで減圧され液状となった冷媒は、冷蔵冷却器１０又は冷凍冷却器１５で気化し、周囲から熱を奪うことにより冷蔵冷却器１０及び冷凍冷却器１５を低温化し、冷気を生成して貯蔵空間を冷却する。冷却器１０，１５を通過したガス冷媒は、サクションパイプ３２を通って再び圧縮機２０に吸入され、一連の冷凍サイクルが繰り返される。
【００２２】
そして、上記構成の冷凍サイクル装置は、冷蔵庫本体２の上部に設けられた制御部２３により制御される。
【００２３】
この制御部２３には、図３に示すように、冷蔵室３、主冷凍室６の各室内に設けた庫内温度センサ２４、２６からの検出信号と、冷蔵室扉３ａの前面に設置した操作パネル７への使用者の操作による冷却モードの切換えなどの信号が入力され、事前に備えた制御プログラムに基づき、圧縮機２０や冷蔵ファン１１及び冷凍ファン１６の運転、切替弁２９による冷蔵冷却器１０と冷凍冷却器１５への冷媒切換え、操作パネル７の表示などの制御を行う。
【００２４】
制御部２３は、その制御プログラムにしたがって、冷蔵ファン１１、冷凍ファン１６、圧縮機２０及び切替弁２９を制御することで、冷蔵空間を冷却する第１冷却モード（以下、冷蔵冷却モードということもある）、冷凍空間を冷却する第２冷却モード（以下、冷凍冷却モードということもある）、冷媒回収モードを切り換えて実行する冷却運転を行う。これにより、冷蔵空間と冷凍空間とが交互に冷却されながら、全ての貯蔵室３，４，５，６内の温度が設定温度付近に維持される。
【００２５】
ここでは本実施形態の冷蔵庫１が実行する冷却運転の一例として図４に示すような場合、つまり、冷凍冷却モード、冷媒回収モード、冷蔵冷却モードをこの順番で順次実行し、冷蔵冷却モードの終了後、再び、冷凍冷却モード、冷媒回収モード、冷蔵冷却モードを順次実行するように、各モードを繰り返し実行する場合について説明する。
【００２６】
制御部２３は、庫内温度センサ２６の検出温度が冷凍空間に対して設定されているＯＮ温度Ｔｆ１になると、圧縮機２０を所定周波数で駆動しつつ切替弁２９の冷凍冷媒流路側の出口を開放して冷凍冷却器１５に冷媒を流し、さらに冷凍ファン１６を運転させて製氷室５、小冷凍室及び主冷凍室６からなる冷凍空間を冷却する冷凍冷却モードを開始する（図４のｔ１）。
【００２７】
冷凍冷却モードにおける圧縮機２０の運転周波数は、制御部２３により庫内温度センサ２４の検出温度と冷却目標温度（例えば、冷凍冷却モードでは−２１℃）との差に応じて、下限周波数Ｆ１（例えば、１０Ｈｚ）から上限周波数Ｆ２（例えば、６０Ｈｚ）までの範囲内に設定される。
【００２８】
そして、冷凍冷却モードの実行中に冷凍冷却終了条件が満たされると、制御部２３は、冷凍冷却モードを終了する。冷凍冷却終了条件の一例を挙げると、例えば、最低冷却時間（例えば、３０分間）冷凍冷却モードを行った後に、（１）庫内温度センサ２６の検出温度が冷凍空間に対して設定されているＯＦＦ温度Ｔｆ２（例えば、−２１℃）に達した時、（２）冷凍モードを開始してから最長冷却時間（例えば、６０分間）以上が経過した時、（３）庫内温度センサ２４の検出温度が冷蔵空間に対して設定されているＯＮ温度Ｔｒ１（例えば、５℃）以上になった時、のいずれかの場合がある。
【００２９】
そして、制御部２３は、冷凍冷却モードを開始した後、冷凍冷却モードの終盤において後述する移行モードを実行してから冷媒回収モードを開始し（図４のｔ２）、冷媒回収モードを実行した後、冷蔵冷却モードを実行する（図４のｔ３）。
【００３０】
冷媒回収モードでは、制御部２３が、切替弁２９の冷蔵冷媒流路側及び冷凍冷媒流路側の出口をいずれも閉止（全閉）し、冷蔵冷却器１０及び冷凍冷却器１５への冷媒供給を遮断した状態で、所定の運転周波数Ｆ３（例えば、２０Ｈｚ）にて圧縮機２０を駆動することで、冷凍冷却器１５から圧縮機２０へ冷媒を回収する。また、制御部２３は、冷媒回収モードにおいて、冷蔵ファン１１及び冷凍ファン１６を停止させる。
【００３１】
そして、制御部２３は、冷媒回収運転を開始してから所定時間（例えば、１分間）経過すると、冷媒回収モードを終了する。
【００３２】
冷媒回収モードを終了すると、制御部２３は、圧縮機２０を所定周波数で駆動しつつ切替弁２９の冷蔵冷媒流路側の出口を開放して冷蔵冷却器１０に冷媒を流し、さらに冷蔵ファン１１を運転させて冷蔵室３及び野菜室４を冷却する冷蔵冷却モードを開始する（図４のｔ３）。冷蔵冷却モード開始直後における圧縮機２０の運転周波数Ｆ４は、冷媒回収モードにおいて設定する運転周波数Ｆ３に比べて高く設定することが好ましい。その場合、冷媒回収モードから冷蔵冷却モードへの移行と同時に、冷媒回収モードにおける圧縮機２０の運転周波数Ｆ３から冷蔵冷却モード開始直後に設定される運転周波数Ｆ４へ変更することが好ましい。
【００３３】
冷蔵冷却モードにおける圧縮機２０の運転周波数は、制御部２３により庫内温度センサ２６の検出温度と冷却目標温度（例えば、冷凍冷却モードでは２℃）との差に応じて、下限周波数Ｆ１から上限周波数Ｆ２までの範囲内に設定される。
【００３４】
そして、冷蔵冷却モードの実行中に冷蔵冷却終了条件が満たされると、制御部２３は、冷蔵冷却モードを終了する（図４のｔ４）。冷蔵冷却終了条件の一例を挙げると、例えば、最低冷却時間（例えば、２０分間）冷蔵冷却モードを行った後に、（１）庫内温度センサ２４の検出温度が冷蔵空間に対して設定されているＯＦＦ温度Ｔｒ２（例えば、２℃）に達した時、（２）冷蔵モードを開始してから最長冷却時間（例えば、４０分間）以上が経過した時、（３）庫内温度センサ２６の検出温度が冷凍空間に対して設定されているＯＮ温度Ｔｆ１（例えば、−１８℃）以上になった時、のいずれかの場合がある。
【００３５】
そして、冷蔵冷却モードを終了すると、制御部２３は、再び、冷凍冷却モード、移行モード、冷媒回収モード、冷蔵冷却モードを順次実行する（図４のｔ５〜ｔ７）。本実施形態では、冷蔵冷却モードから冷凍冷却モードへ移行する際に、冷蔵冷却モードの終了後、冷媒回収モードを実行することなく、冷凍冷却モードを開始する。
【００３６】
なお、本実施形態の冷蔵庫１では、圧縮機２０を常時駆動して、冷凍冷却モード、冷媒回収モード及び冷蔵冷却モードのいずれかのモードを常時実行することが原則であるが、冷蔵空間及び冷凍空間の温度が双方ともＯＦＦ温度Ｔｒ２、Ｔｆ２以下であり、ＰＩＤ計算がある一定値以下になったときに圧縮機２０を停止してもよい。
【００３７】
また、冷媒回収モードにおける圧縮機２０の運転周波数Ｆ３を、冷媒回収モードへ移行する直前の圧縮機２０の運転周波数Ｆ５より所定周波数だけ大きく設定したり、あるいは、予め定めた所定周波数とすることができる。
【００３８】
以上のような本実施形態の冷蔵庫１において、冷凍冷却モードの実行中に冷凍冷却終了条件を満たす直前の条件に設定された移行開始条件を満たすと、制御部２３は、冷凍冷却モードを実行しながら圧縮機２０の運転周波数を上昇させる移行モードを実行する（図４のｔ’１、ｔ’４）。つまり、冷凍冷却モードから冷媒回収モードへ移行する直前になると、制御部２３は、圧縮機２０を駆動しつつ切替弁２９の冷凍冷媒流路側の出口を開放して冷凍冷却器１５に冷媒を流し、さらに冷凍ファン１６を運転させて冷凍空間を冷却しながら、圧縮機２０の運転周波数を所定周波数だけ上昇させる。
【００３９】
移行開始条件の一例を挙げると、例えば、冷凍冷却モードを最低冷却時間（例えば、３０分間）行った後に、（１）冷凍冷却終了条件として庫内温度センサ２６の検出温度が冷凍空間のＯＦＦ温度Ｔｆ２（例えば、−２１℃）に達することが設定されている場合において、庫内温度センサ２６の検出温度が冷凍空間のＯＦＦ温度Ｔｆ２より所定温度（例えば、１℃）だけ高い温度に達した時、（２）冷凍冷却終了条件として冷凍モードを開始してから最長冷却時間（例えば、６０分間）が経過することが設定されている場合において、冷凍モードを開始してから最長冷却時間（例えば、６０分間）の所定時間（例えば、２分間）前に達した時、（３）冷凍冷却終了条件として庫内温度センサ２４の検出温度が冷蔵空間のＯＮ温度Ｔｒ１（例えば、５℃）に達することが設定されている場合において、庫内温度センサ２４の検出温度が冷蔵空間のＯＮ温度Ｔｒ１より所定温度（例えば、１℃）だけ低い温度に達した時、（４）庫内温度センサ２６の検出温度の推移から予想されるＯＦＦ温度Ｔｆ２の到達予想時刻の所定時間（例えば、２分間）前に達した時、のいずれかの場合がある。
【００４０】
そして、移行モードの実行中に上記した冷凍冷却終了条件に加え移行終了条件が満たされると、制御部２３は、移行モードとともに冷凍冷却モードを終了して、冷媒回収モードを開始する（図４のｔ２、ｔ５）。移行終了条件の一例を挙げると、例えば、（１）圧縮機２０の運転周波数が冷媒回収モードにおいて設定する運転周波数Ｆ３に達した時、（２）移行モードを開始してから所定時間（例えば、２分間）経過した時、のいずれかの場合がある。なお、上記（２）において、制御部２３が、圧縮機２０の運転周波数を所定の周期で設定・変更する場合、移行モードを開始してから当該周期の２倍以上の時間が経過した時を終了条件とすることができる。例えば、制御部２３が、１分間毎に圧縮機２０の運転周波数を設定する場合、移行モードを開始してから２分間以上の時間が経過した時を終了条件とすることができる。つまり、このように移行モードの実行時間を設定することで、圧縮機２０を所定の運転周波数に変更するのに必要な最低限の時間を確保することができる。
【００４１】
なお、本実施形態では、移行モードの実行中に冷凍冷却終了条件及び移行終了条件が満たされると移行モードを終了して冷媒回収モードを開始する場合について説明したが、冷凍冷却終了条件及び移行終了条件の少なくとも一方が満たされると移行モードを終了して冷媒回収モードを開始してもよい。
【００４２】
次に、本実施形態の冷蔵庫１の作用効果について説明する。一般に、冷凍冷却モードの終盤では、冷凍空間の温度低下に伴い庫内空気と冷蔵冷却器１０との温度差が小さくなり、圧縮機２０の運転周波数が低く設定されている。冷蔵庫１では、冷凍冷却モードから冷媒回収モードへ移行する前に、冷凍冷却モードを実行しながら圧縮機２０の運転周波数を上昇させる移行モードを実行した後、冷媒回収モードを実行する。冷媒回収モードにおける圧縮機２０の運転周波数Ｆ３が、冷凍冷却モードの終盤における運転周波数より大きく設定されている。そのため、冷蔵庫１では、単位時間あたりの冷媒回収量が多くなり、冷却に寄与しない冷媒回収モードの実行時間を短縮することができる。
【００４３】
しかも、本実施形態の冷蔵庫１では、冷凍冷却モードを実行しながら圧縮機２０の運転周波数を上昇させるため、圧縮機２０の運転周波数を上昇させている間も冷凍空間を冷却することができる。そのため、冷媒回収モードを開始してから圧縮機２０の運転周波数を上昇させる場合に比べて、冷却に寄与しない冷媒回収モードの実行時間を短縮することができ、効率的な省エネルギー運転が可能となる。
【００４４】
また、本実施形態の冷蔵庫１では、冷媒回収モードから冷蔵冷却モードへの切り換えと同時に、圧縮機２０の運転周波数を冷媒回収モードに比べて高い運転周波数へ変更するため、冷媒回収モードの実行時間が不必要に長くなるのを抑えることができ、効率的な省エネルギー運転が可能となる。
【００４５】
（変更例）
上記の実施形態では、第１空間が冷蔵温度帯に冷却される冷蔵空間、第２空間が冷凍温度帯に冷却される冷凍空間の場合について説明したが、第２空間が第１空間より低い温度に冷却される空間であれば、第１空間及び第２空間のそれぞれの設定温度（冷却温度）は限定されない。
【００４６】
上記の実施形態では、冷凍冷却モードの実行中における冷凍冷却終了条件が満たされる前に移行モードを実行し、その後、冷媒回収モード及び前記冷蔵冷却モードを順次実行したが、冷凍冷却モードの実行中に冷凍冷却終了条件が満たされると、直ちに冷凍冷却モードを終了するのではなく、所定時間（例えば、２分間）だけ冷凍冷却モードを延長し、この冷凍冷却モード延長中に冷媒回収モードを実行してもよい。
【００４７】
また、上記の実施形態では、図４に示すように、冷凍モードの終盤において移行モードを開始すると圧縮機２０の運転周波数を上昇させる場合について説明したが、冷凍冷却モードにおける圧縮機２０の運転周波数が冷媒回収モードにおいて設定される運転周波数Ｆ３より高い状態から、移行モード及び冷媒回収モードへ順次移行する場合、移行モードが開始すると圧縮機２０の運転周波数を運転周波数Ｆ３になるまで低下させてもよい。このような場合でも、上記実施形態と同様、冷凍空間を冷却しながら冷媒回収モードに適した運転周波数で圧縮機２０を運転させることができ、冷却に寄与しない冷媒回収モードの実行時間を短縮することができる。
【００４８】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４９】
１…冷蔵庫、２…冷蔵庫本体、３…冷蔵室、１０…冷蔵冷却器、１１…冷蔵ファン、１５…冷凍冷却器、１６…冷凍ファン、１９…機械室、２０…圧縮機、２１…凝縮器、２３…制御部、２４…庫内温度センサ、２６…庫内温度センサ、２８…放熱パイプ、２９…切替弁
【図１】
2020091045.tif 000003
【図２】
2020091045.tif 000004
【図３】
2020091045.tif 000005
【図４】
2020091045.tif 000006